(57)【要約】      （修正有）【課題】地震による被害を最小限に抑える避震基礎構造の提供。【解決手段】地盤に固着支持される下部基礎１の上面に、敷モルタル２を敷設し、この敷モルタルを覆うように、その上面に固定した条溝を有する下滑動板３と、前記下部基礎上に配置されると共に、構造物の下側に設けられる上部基礎の下面に固定した条溝を有する上滑動板４とを、前記条溝が直交するようにして当接設置したことを特徴とする避震基礎構造。【選択図】図１
0003111620.tif 000002
【実用新案登録請求の範囲】
【請求項１】
地盤に固着支持される下部基礎の上面に固定した条溝を有する下滑動板と、前記下部基礎上に配置されると共に、構造物の下側に設けられる上部基礎の下面に固定した条溝を有する上滑動板とを、前記条溝が交叉するようにして当接設置したことを特徴とする避震基礎構造。
【請求項２】
地盤に固着支持される下部基礎の上面に、敷モルタルを敷設し、この敷モルタルを覆うように、その上面に固定した条溝を有する下滑動板と、前記下部基礎上に配置されると共に、構造物の下側に設けられる上部基礎の下面に固定した条溝を有する上滑動板とを、前記条溝が交叉するようにして当接設置したことを特徴とする避震基礎構造。
【請求項３】
下部基礎の四周に側枠を周繞設置して水槽を構築し、前記下部基礎上へ、滑動層を介して上部基礎を構築し、前記水槽内へ湛水すると共に、前記上部基礎の下部へ通水手段を設けたことを特徴とする避震基礎構造。
【請求項４】
通水手段は、水槽内の水を流動させる為に、上部基礎の通水管を設けたことを特徴とする請求項３記載の避震基礎構造。
【考案の詳細な説明】
【技術分野】
【０００１】
この考案は、構造物が支持される基礎構造を下部基礎と上部基礎とに分割して当該下部基礎と上部基礎との間に滑動層を介在させて、地震による被害を可及的に少なくすることを目的とした避震基礎構造に関する。
【背景技術】
【０００２】
従来緩衝装置を介して構造物を支持する免震構造が提案されている。また出願人は先に滑動層を介装した避震基礎構造を提案した。
【特許文献１】特開２０００−２５７０８０
【特許文献２】実用新案登録第３０９２２４４号
【考案の開示】
【考案が解決しようとする課題】
【０００３】
前記従来の免震構造等は、構造が複雑であったり、定期的メンテナンスを必要としたり、更なる改善が求められていた。例えば、ゴム材や、合成樹脂を使用した提案にあっては、使用材料の劣化について十分な対応がとられていなかった。
【０００４】
前記における登録実用新案は、更なる改善策により、一層の効果が求められていた。
【課題を解決するための手段】
【０００５】
然るにこの考案は、構造が簡単で、一旦施工後はメンテナンスを要せず、材料の劣化もなく、大地震の際の減衰を可及的に多くするなどの点で改良し、前記従来の問題点を解決したのである。
【０００６】
即ちこの考案は、地盤に固着支持される下部基礎の上面に固定した条溝を有する下滑動板と、前記下部基礎上に配置されると共に、構造物の下側に設けられる上部基礎の下面に固定した条溝を有する上滑動板とを、前記条溝が交叉するようにして当接設置したことを特徴とする避震基礎構造であり、地盤に固着支持される下部基礎の上面に、敷モルタルを敷設し、この敷モルタルを覆うように、その上面に固定した条溝を有する下滑動板と、前記下部基礎上に配置されると共に、構造物の下側に設けられる上部基礎の下面に固定した条溝を有する上滑動板とを、前記条溝が交叉するようにして当接設置したことを特徴とする避震基礎構造である。
【０００７】
次に他の考案は、下部基礎の四周に側枠を周繞設置して水槽を構築し、前記下部基礎上へ、滑動層を介して上部基礎を構築し、前記水槽内へ湛水すると共に、前記上部基礎の下部へ通水手段を設けたことを特徴とする避震基礎構造であり、通水手段は、水槽内の水を流動させる為に、上部基礎の通水管を設けたものである。
【０００８】
前記考案において、上滑動板と、下滑動板は通常直交（９０度）させるが、必ずしも９０度の交叉をしなくてもよい。
【０００９】
前記考案において、滑動板は、例えばステンレス板、陶板、ガラス板又は強靭な合成樹脂板に条溝を設ける加工をすることにより、容易に生産できるので、製造等に支障を来すおそれはなく、種類の異なる震動時にも対応することができる。
【００１０】
また基礎を水槽内に設けることにより、水の抵抗と浮力により水位の高い位置における基礎構造物を地震から守り得ることは勿論、前記水が流動することにより、更に震動の吸収と、震動伝達力の低下により、建造物の被害を一層減少させることができる。
【００１１】
一般の地震について説明すると、
・法定による地震力
Ｆ＝Ｗ×０．２＝１４００×０．２＝２８０ｋｇ
・加速度による地震力
Ｆ＝Ｗ×α／ｇ＝１４００×１３０／９８０＝１８６ｋｇ＜１８２
（α＝地震加速度＝１３０ガル、ｇ＝重力加速度＝９８０ガル）
従って予告のない場合、震度５弱（１３０ガル）以上の震動は滑動により建物には伝わらない（表１）。
【表１】
0003111620.tif 000003
【００１２】
・前記法定による風圧力
Ｐ＝６０√ｈ、風力係数＝１．２、ｈ＝４．０ｍとすると、
ΣＰ＝６０×２×１．２＝１４４ｋｇ／ｍ２
・風速による風圧力
Ｐ＝ｗ／ｇ×（ｖ２）
（ｗ空気の重さ１．３ｋｇ／ｍ３、ｇ重力の加速度９８０ｃｍ／ｓｅｃ２、ｖ風速）
Ｐ＝１．３／９８０×ｖ２×１．２＝１／７５４×３０２×１．２＝１４３ｋｇ／ｍ２
従って風速３０ｍ以上と予報された場合、吹寄せ防止の措置をする。それ以下は不要である。
【００１３】
前記比較と試算により、この考案の避震構法は、地震と風に対し極めて有効であることが立証された訳である。然し、建物等の形状やそれに係わる条件は変化するのでその都度充分な検討が必要である。
【考案の効果】
【００１４】
この考案によれば、コンクリート、モルタル及びステンレス板、陶板又はガラス板を用いるので、虫害、腐蝕、錆などの発生がなく、損耗、老化もなく、耐久性にも優れている。またこの考案の構造は、木造、コンクリート構造、鉄骨構造、組積構造などに関係なく、何れにも使用し得る効果がある。
【００１５】
前記原子炉及び発電施設その他の大きな建造物の外、油槽、水槽、各種タンク、墓石、燈篭、石像等の重量構造物に適用できる効果がある。
【００１６】
さらに軟弱地盤でも施工可能な上、洪水等の際の浸水による被害も少ないと共に、メンテナンス不要、施工容易、工期短縮であって、低価格などの諸効果がある。
【考案を実施するための最良の形態】
【００１７】
この考案は、条溝を有する平滑な２枚のステンレス鋼板の１枚を下基礎の上面に固定すると共に、他の１枚を上基礎の平面に固着し、前記下基礎のステンレス鋼板と、上基礎の下面に固定したステンレス鋼板とを重ね合わせて、滑動層としてこの考案の避震基礎構造を完成したものである。
【００１８】
前記避震基礎構造を、水槽底上に設置すると共に、上部基礎構造内に通水管を埋設し、その両端を水槽中に開口してあるので、地震の際には、槽内の水が動揺するので、その移動方向によって水圧が高くなるが（従って水位も高くなる）、水位の高い側の水が前記通水管を介して反対側へ移動し、水面の均等化を図ると共に、この水流は地震のエネルギーを吸収して、建物に掛るエネルギーを軽減することができる。従って地震エネルギーの低減効果がある。
【実施例１】
【００１９】
この考案の実施例を図１に基づいて説明すれば、下基礎１の上面へ敷モルタル２を敷設し、敷モルタル２上へ条溝７を下にして下滑動板３を設置固定する。
【００２０】
次に下滑動板３上へ条溝８を上にして上滑動板４を重ね、上滑動板４上へ上基礎６を打設すれば、この考案の避震基礎構造１０が完成する。
【００２１】
図中９は止ビスである。前記滑動板３、４は、その平面側が重ね合わされており、かつ夫々の条溝７、８は直角に配置されている。
【実施例２】
【００２２】
前記避震基礎構造１０は、水槽１１の底面１２上に設置され、水槽１１内には水１３が収容してある。
【００２３】
そこで地震波が、図３（ｃ）中矢示１４の方向に加われば、基礎が矢示１４の方向に移動するので、水位が矢示１５のように上昇するが、水槽中の水は、通水管１６を介して矢示１７のように移動するので、水槽１１内の水が溢れ出るおそれがなく、基礎の震動は水により吸収されるので、上基礎以下の震動が大幅に吸収され、エネルギーが低減される。また地震波が図３（ｃ）中矢示５のように加われば、水槽内の水は、矢示１８のように移動する。
【図面の簡単な説明】
【００２４】
【図１】この考案の実施例の一部拡大図。
【図２】同じく上滑動板と下滑動板を重ねた状態の斜視図。
【図３】（ａ）同じく他の実施例の平面図、（ｂ）同じく断面図、（ｃ）同じく一部断面拡大図。
【符号の説明】
【００２５】
１  下基礎
２  敷モルタル
３  下滑動板
４  上滑動板
６  上基礎
７、８  条溝
１０  避震構造
１１  水槽
１２  底面
１６  通水管
【図１】
0003111620.tif 000004
【図２】
0003111620.tif 000005
【図３】
0003111620.tif 000006